(57)【要約】【課題】  ハムや缶詰等の食品を収納する箱本体の内部に介装される中敷きであって、その内部をより立体的に且つ、体裁の良いものとすること。【解決手段】  底面部２の両側および一端部に第１斜面部５および第２斜面部６を突設する。そして、底面部２と第２斜面部６との間に介在する第２谷折線４を底面部２の中心側にわずかに突出する山形に形成する。【選択図】        図２
0003159413.tif 000002
【実用新案登録請求の範囲】
【請求項１】
上端が開放される箱本体(1)の内部に収納される中敷きにおいて、
展開状態で、略方形の底面部(2)を有し、その底面部(2)の両側部および、それに直交する一端部に第１谷折線(3)および第２谷折線(4)を介して、それぞれ略台形状の一対の第１斜面部(5)および第２斜面部(6)が突設され、隣接する第１斜面部(5)および第２斜面部(6)間にハの字状の一対の切り込み(7)が形成され、
一対の第１斜面部(5)及び第２斜面部(6)に山折線(13)を介して、一対の第１側壁部(8)および第２側壁部(9)が突設され、
前記第２谷折線(4)は、前記底面部(2)の中心側に僅かに突出する山形に形成され、
前記底面部(2)が箱本体(1)の底に接し、または近接し、前記一対の第１側壁部(8)および第２側壁部(9)が箱本体(1)の側壁(1b)内面に接すると共に、前記一対の第１斜面部(5)および第２斜面部(6)は箱本体(1)の側壁(1b)内面から離反して傾斜するように構成されたことを特徴とする箱の中敷き。
【請求項２】
請求項１において、
第２斜面部(6)および第２側壁部(9)が前記一端部のみに存在し、
前記箱本体(1)は、その開口縁の他端部に蓋部(1a)が一体に突設されると共に、その先端に差し込み部(12)が形成されているものに使用する箱の中敷き。
【請求項３】
請求項１において、
前記底面部(2)の両側部および、それに直交する一端部と他端部に、それぞれ略台形状の一対の第１斜面部(5)および一対の第２斜面部(6)が突設され、
一対の第２斜面部(6)に山折線(13)を介して、一対の第２側壁部(9)が突設され、
一対の前記第２谷折線(4)は、前記底面部(2)の中心側に僅かに突出する山形に形成され、
前記一対の第２側壁部(9)が箱本体(1)の側壁内面に接すると共に、前記一対の第２斜面部(6)は箱本体(1)の内面から離反するように構成されたことを特徴とする箱の中敷き。
【請求項４】
請求項３において、
前記箱本体(1)は、その開口縁の外側に、別体の箱状の蓋が着脱自在に取り付けられるものに使用する箱の中敷き。
【請求項５】
請求項１〜請求項4のいずれかにおいて、
前記中敷きは、ダンボール材からなり、その露出側の表面に波形の凹凸(10)が存在する箱の中敷き。
【考案の詳細な説明】
【技術分野】
【０００１】
本考案は、食品等の包装箱の箱本体の内部に介装される中敷きに関する。
【背景技術】
【０００２】
ハムや缶詰等の食品を収納し、その蓋を開放して内部を展示することができる包装用箱本体およびその中敷きが知られている。例えば、下記特許文献１記載の「包装箱の底上げ用中敷き」は、その平面に一対のＹ字状の切り込みを、連結して形成し、それを底面側に折り曲げてその内部に食品等を載置するものである。
【先行技術文献】
【特許文献】
【０００３】
【特許文献１】特開２００４−９０９４０号公報
【考案の概要】
【考案が解決しようとする課題】
【０００４】
従来の中敷きは、箱本体の内部をより立体的に見せるものではなく、面白みに欠けていた。
そこで本考案は、方形の箱本体の内部をより立体的に且つ、体裁良く演出することができる中敷きを提供することを課題とする。
【課題を解決するための手段】
【０００５】
請求項１に記載の本考案は、上端が開放される箱本体(1)の内部に収納される中敷きにおいて、
展開状態で、略方形の底面部(2)を有し、その底面部(2)の両側部および、それに直交する一端部に第１谷折線(3)および第２谷折線(4)を介して、それぞれ略台形状の一対の第１斜面部(5)および第２斜面部(6)が突設され、隣接する第１斜面部(5)および第２斜面部(6)間にハの字状の一対の切り込み(7)が形成され、
一対の第１斜面部(5)及び第２斜面部(6)に山折線(13)を介して、一対の第１側壁部(8)および第２側壁部(9)が突設され、
前記第２谷折線(4)は、前記底面部(2)の中心側に僅かに突出する山形に形成され、
前記底面部(2)が箱本体(1)の底に接し、または近接し、前記一対の第１側壁部(8)および第２側壁部(9)が箱本体(1)の側壁(1b)内面に接すると共に、前記一対の第１斜面部(5)および第２斜面部(6)は箱本体(1)の側壁(1b)内面から離反して傾斜するように構成されたことを特徴とする箱の中敷きである。
請求項２に記載の本考案は、請求項１において、
第２斜面部(6)および第２側壁部(9)が前記一端部のみに存在し、
前記箱本体(1)は、その開口縁の他端部に蓋部(1a)が一体に突設されると共に、その先端に差し込み部(12)が形成されているものに使用する箱の中敷きである。
【０００６】
請求項３に記載の本考案は、請求項１において、
前記底面部(2)の両側部および、それに直交する一端部と他端部に、それぞれ略台形状の一対の第１斜面部(5)および一対の第２斜面部(6)が突設され、
一対の第２斜面部(6)に山折線(13)を介して、一対の第２側壁部(9)が突設され、
一対の前記第２谷折線(4)は、前記底面部(2)の中心側に僅かに突出する山形に形成され、
前記一対の第２側壁部(9)が箱本体(1)の側壁内面に接すると共に、前記一対の第２斜面部(6)は箱本体(1)の内面から離反するように構成されたことを特徴とする箱の中敷きである。
【０００７】
請求項４に記載の本考案は、請求項３において、
前記箱本体(1)の開口縁の外側に、別体の箱状の蓋が着脱自在に取り付けられるものに使用する箱の中敷きである。
請求項５に記載の本考案は、請求項１〜請求項4のいずれかにおいて、
前記中敷きは、ダンボール材からなり、その露出側の表面に波形の凹凸(10)が存在する箱の中敷きである。
【考案の効果】
【０００８】
本考案の箱の中敷きは、底面部２の両側部に一対の第１斜面部５を有するとともに、それに直行して第２斜面部６が形成され、それらが箱の内部で傾斜して配置される。それとともに、第２斜面部６と底面部２の境の第２谷折線４が、底面部２の中心側にわずかに突出する山形に形成されたから、箱の内部は、その中敷き14によって膨らみのある立体的な面を形成し、体裁の良い、高級感あふれるものを演出できる。
上記構成において、請求項２に記載のように、箱本体１はその開口縁に蓋部1a が一体に突設されると共に、その先端に差し込み部12が突設されたものを使用し、第２斜面部６が底面部２の一端部のみに存在するようにした場合には、蓋部1aの差し込み部12を第２斜面部６が存在しない側に差し込むことができる。
【０００９】
上記構成において、請求項３に記載のように、底面部２に一対の第２斜面部６を突設させた場合には、箱本体１内部をより立体的に形成し、さらに体裁の良い内部を演出できる。
【００１０】
上記構成において、請求項４に記載のように、箱本体１の開口縁の外側に別体の箱状の蓋を着脱自在に取り付けたものにおいては、蓋を外したとき、より立体的に箱本体の内部を見せることができる。
上記いずれかの構成において請求項５に記載のように、中敷きを段ボール材から形成し、その露出側の表面に波形の凹凸10を形成したものにおいては、さらに体裁の良い箱の内部を演出できる。
【図面の簡単な説明】
【００１１】
【図１】本考案の第１実施例の中敷き14の展開図。
【図２】同中敷きの使用状態を示す斜視図。
【図３】同中敷きを箱本体１内部に収納した斜視図。
【図４】本考案の第２実施例の展開図。
【図５】同使用状態を示す斜視図。
【図６】同中敷きを箱本体１内に収納した状態を示す平面図。
【考案を実施するための形態】
【００１２】
（第１の実施形態）
次に図面に基づいて本考案の実施の形態につき説明する。
図１〜図３は、本考案の第１の実施の形態を示す。
この中敷きは、展開状態で図１のごとく形成され、一例として段ボール材からなり、その表面側には波形に曲折された凹凸10を有する色付きの化粧紙等が配置されている。この例では裏面側は平坦な台紙に形成されている。
【００１３】
そして、展開状態で中央部に略方形の底面部２を有し、その長手方向両側部に一対の第１谷折線３を介して不等辺台形状の一対の第１斜面部５が突設され、その先端に山折線13を介して台形状の一対の第１側壁部８が突設されている。また、底面部２の幅方向の一方のみに第２谷折線４を介し、略台形状の第２斜面部６が突設され、その先端縁に山折線13を介し、台形状の第２側壁部９が設けられている。そして、第２斜面部６と一対の第１斜面部５との間はハ字状の切り込み７が設けられている。さらに、第１傾斜部５に隣接し、第２斜面部６の縁に欠切部11が形成されている。この欠切部11は、図２のごとく折り曲げたとき、互いにその隣接部が干渉して変形することを防止するものである。
【００１４】
ここにおいて、第２斜面部６と底面部２との境に形成された第２谷折線４は、この例では底面部２の中心側にわずかに突出する浅い山形に形成されているが、例えばこの第２谷折線４を底面部２側にわずかに湾曲させ、又は浅いＶ字状に形成させることもできる。
なお、この例では中敷き14を紙の段ボール材から形成しているが、それに替えてプラスチックシートによりそれを段ボール状に形成しても良い。また各折線は線状に予めプレス成形しておくことができる。第１谷折線３，第１傾斜部５の山折線13については、そこに波形が形成されているので、その谷部を利用することにより、プレスを省略してもよい。
【００１５】
この中敷き14は、図２に示すごとく、一対の第１谷折線３、第２谷折線４並びに山折線13を介して折り曲げられ、図３のごとく箱本体１の内部に収納される。そして、この例では底面部２が箱本体１の底面に接触し、一対の第１側壁部８および第２側壁部９が箱本体１の側壁1bに接する。なお、底面部２を箱本体１の底面から適宜な底上げ材を介して上方に持上げてもよい。また、この例では中敷き14の縁部が箱本体１の開口縁部より底側に位置しているが、それに替えて中敷き14の上端縁と箱本体１の上縁とを同一にしても良い。
【００１６】
この例の箱本体１は、その長辺側の一方の縁部に蓋部1aが形成され、その先端に差し込み部12が設けられている。そして、この蓋部1aを箱本体１の開口に閉じたとき、差し込み部12が箱本体１内部に差し込まれる。この中敷き14の長辺側の一方は図２に示すごとく開放されているため、差し込み部12を挿入するとき、邪魔になるものはない。そして、一対の第１斜面部５および第２斜面部６は箱本体１内面に接することなく傾斜して配置される。それにより箱本体１内部をより立体的に見せ、体裁の良い箱本体１内部を演出する。
【００１７】
（第２の実施形態）
次に、図４〜図６は、本考案の第２の実施の形態を示し、この例が前記実施例と異なる点は、底面部２の長辺の両側に一対の第２斜面部６および第２側壁部９が配置されている点である。そして、図５のごとく組立てられ、それが箱本体１内部に図６のごとく配置される。この箱本体１は、図示しない蓋が箱本体１と別体であり、箱本体１外周に箱状の蓋の内面が嵌着される。この構造は第１実施例よりも、箱本体１内部をより立体的で、かつ体裁の良いものとすることができる。
【符号の説明】
【００１８】
１  箱本体
1a  蓋部
1b  側壁
２  底面部
３  第１谷折線
４  第２谷折線
５  第１斜面部
６  第２斜面部
【００１９】
７  切り込み
８  第１側壁部
９  第２側壁部
10  凹凸
11  欠切部
12  差し込み部
13  山折線
14  中敷き
【図１】
0003159413.tif 000003
【図２】
0003159413.tif 000004
【図３】
0003159413.tif 000005
【図４】
0003159413.tif 000006
【図５】
0003159413.tif 000007
【図６】
0003159413.tif 000008